(57)【要約】【課題】  比較的単純な形状を有し加工が容易な断熱部材を用いながらも、屋根瓦を安定性良く固定できると共に、雨水の浸透による野地板等の屋根下地材の腐食防止を図った屋根断熱構造を提供する。【解決手段】  屋根下地４１上に、下面に軒棟方向に延設された第１の排水用溝４３を有する横桟４２が並設固定され、横桟４２間に、上面に瓦爪用段差１１を有し、下面に軒棟方向に延設された第２の排水用溝１２を有する瓦下用断熱材１０が敷設され、第１の排水用溝４３と第２の排水用溝１２が連通して排水経路を形成しており、屋根瓦が瓦下用断熱材１０の瓦爪用段差１１に瓦爪が挿入された状態で横桟４２に固定されていることを特徴とする。【選択図】      図４
2005336754.tif 000002
【特許請求の範囲】
【請求項１】
屋根下地上に瓦下用断熱材を介して屋根瓦を葺設してなる屋根断熱構造であって、
屋根下地上に、下面に軒棟方向に延設された第１の排水用溝を有する横桟が並設固定され、
前記横桟間に、上面に瓦爪用段差を有し、且つ、下面に軒棟方向に延設された第２の排水用溝を有する瓦下用断熱材が敷設され、
前記第１の排水用溝と前記第２の排水用溝が連通して排水経路を形成しており、
屋根瓦が、前記瓦下用断熱材の瓦爪用段差に瓦爪が挿入された状態で、前記横桟に固定されていることを特徴とする屋根断熱構造。
【請求項２】
前記横桟上に、これと直交する方向に縦桟が並設固定され、
屋根瓦が、前記縦桟上に一側縁が載置された状態で、該縦桟に固定されていることを特徴とする請求項１に記載の屋根断熱構造。
【請求項３】
屋根下地上に並設固定された横桟間に敷設される瓦下用断熱材であって、上面に瓦爪を挿入するための瓦爪用段差を有し、且つ、下面に軒棟方向に延設された排水用溝を有することを特徴とする瓦下用断熱材。
【発明の詳細な説明】
【技術分野】
【０００１】
本発明は、屋根下地上に瓦下用断熱材を介して屋根瓦を葺設してなる屋根断熱構造、及び、これに用いる瓦下用断熱材に関するものである。
【背景技術】
【０００２】
木造家屋などにおいては、屋内の暖房や冷房の効率向上の為、建物全体の断熱化を図るべく屋根の断熱化が進んでおり、例えば瓦葺き屋根の断熱構造として、野地板上に断熱部材を介して屋根瓦を葺設してなる屋根断熱構造が知られている。
【０００３】
しかしながら、上記従来の屋根断熱構造では、野地板の上面が平坦状であるため、断熱部材がずれて動き易く確実に固定できず、しかも、断熱部材の位置決めも難しくてその載置固定作業に手間取るなどの問題があった。
【０００４】
上記の問題を解決すべく、特許文献１では、断熱部材の下面を屋根下地面の凹凸形状に対応してこれと係合する凹凸下面として形成すると共に、該断熱部材の上面を葺設される屋根瓦の裏面の凹凸形状に対応してこれと係合する凹凸上面として形成してなる屋根葺き構造が提案されている。
【０００５】
また、特許文献１では、前記断熱部材の上面に軒棟方向の排水溝を形成し、該排水溝に屋根瓦の側端縁が沿うように該排水溝の両側に屋根瓦を葺設してなる屋根葺き構造が提案されている。
【０００６】
【特許文献１】特開平９−２４２２７２号公報
【発明の開示】
【発明が解決しようとする課題】
【０００７】
特許文献１に記載の屋根葺き構造によれば、屋根下地面に対し断熱部材を簡単に位置決めして載置することができると共に、断熱部材のずれを防止して固定することができる。
【０００８】
また、特許文献１に記載の断熱部材の上面に排水溝を形成した屋根葺き構造によれば、屋根瓦の側端縁間の隙間から流下する雨水を排水溝を介して排水することができる。
【０００９】
しかしながら、特許文献１に記載の屋根葺き構造では、屋根瓦は断熱部材を介して釘等で桟材に固定されるが、この断熱部材として好適に用いられる合成樹脂発泡体は釘の保持力に乏しいため、屋根瓦のずれを防止して確実に固定することが困難である。
【００１０】
また、断熱部材の上面を屋根瓦の裏面の凹凸形状に対応してこれと係合する凹凸上面として形成しているが、平板状の屋根瓦を用いる場合には断熱部材の凹凸加工は比較的容易であるものの、和形瓦のように複雑な湾曲形状を有する屋根瓦を用いる場合には、断熱部材の凹凸加工も複雑なものとなり、断熱部材の加工が非常に困難でコスト高ともなる。
【００１１】
また、特許文献１に記載の断熱部材の上面に排水溝を形成した屋根葺き構造では、断熱部材の裏側にまで雨水が浸透した場合の対策が講じられていないため、ルーフィング（防水シート）の釘穴等から侵入する雨水による野地板等の腐食が懸念される。
【００１２】
そこで、本発明は、比較的単純な形状を有し加工が容易な断熱部材を用いながらも、屋根瓦を確実に固定できると共に、雨水の浸透による野地板等の屋根下地材の腐食防止を図った屋根断熱構造を提供することを目的とする。
【課題を解決するための手段】
【００１３】
本発明の屋根断熱構造は、屋根下地上に瓦下用断熱材を介して屋根瓦を葺設してなる屋根断熱構造であって、
屋根下地上に、下面に軒棟方向に延設された第１の排水用溝を有する横桟（引掛桟）が並設固定され、
前記横桟間に、上面に瓦爪用段差を有し、且つ、下面に軒棟方向に延設された第２の排水用溝を有する瓦下用断熱材が敷設され、
前記第１の排水用溝と前記第２の排水用溝が連通して排水経路を形成しており、
屋根瓦が、前記瓦下用断熱材の瓦爪用段差に瓦爪が挿入された状態で、前記横桟に固定されていることを特徴とする。
また、前記横桟（引掛桟）上に、これと直交する方向に縦桟（安定桟）が並設固定され、
屋根瓦が、前記縦桟上に一側縁が載置された状態で、該縦桟に固定されていることを特徴とする。
【００１４】
また、本発明の瓦下用断熱材は、屋根下地上に並設固定された横桟（引掛桟）間に敷設される瓦下用断熱材であって、上面に瓦爪を挿入するための瓦爪用段差を有し、且つ、下面に軒棟方向に延設された排水用溝を有することを特徴とする。
【発明の効果】
【００１５】
本発明の屋根断熱構造によれば、屋根下地上に所定の排水用溝を形成した横桟（引掛桟）を並設固定し、かかる横桟間に、上面に瓦爪用段差を、下面に所定の排水用溝を形成した瓦下用断熱材を敷設するようにしたことにより、屋根瓦を横桟に直接固定でき、地震・台風に強い屋根断熱構造が実現されると共に、雨水の浸透による野地板等の屋根下地材の腐食を効果的に防止し得る屋根断熱構造が実現される。
【００１６】
また、横桟（引掛桟）上に縦桟（安定桟）を並設固定し、この縦桟上に屋根瓦の一側縁を載置した状態で固定した構造にあっては、和形瓦のような湾曲形状を有する屋根瓦を用いた場合にも、屋根瓦を安定性良く確実に固定することができ、地震・台風に強い屋根断熱構造が実現される。
【発明を実施するための最良の形態】
【００１７】
以下、本発明の実施形態例を説明するが、本発明はかかる形態例に限定されるものではなく、本発明の要旨の範囲内で適宜の変更を加えることができる。
【００１８】
（瓦下用断熱材）
本発明の瓦下用断熱材は、本発明の屋根断熱構造に好適に用いられ、例えば図１及び図２に斜視図で示すような形態を有する。これらの図において、１０は瓦下用断熱材、１１は瓦爪用段差、１２は排水用溝である。
【００１９】
図示のように本発明の瓦下用断熱材１０は、上面に瓦爪を挿入するための瓦爪用段差１１を有し、下面に所定の方向に延設された多数の排水用溝１２を有する。この瓦下用断熱材１０は、詳しくは後述するが、屋根下地上に並設固定された横桟間に敷設されるものであり、この時、図１及び図２の紙面左下から右上方向が軒棟方向に対応する。
【００２０】
図１に示す瓦下用断熱材１０は、瓦爪用段差１１を軒側の側辺に連続して形成した例である。このような形態によれば、屋根瓦の瓦爪の間隔に関係なく用いることができると共に、加工が極めて簡単である。
【００２１】
図２に示す瓦下用断熱材１０は、瓦爪用段差１１を屋根瓦の瓦爪に対応する位置に所定の幅で形成した例である。このような形態によれば、屋根瓦の横ずれをより効果的に防止できると共に、瓦爪用段差１１に瓦爪を挿入することによって自動的に屋根瓦の位置決めを行うこともでき、屋根瓦を葺設する際の作業性を高めることができる。
【００２２】
図１及び図２に例示したものは、複数の排水用溝１２を波形状に配列形成しているが、屋根下地面との間で効率良く排水可能あればその形態は特に限定されるものではない。
【００２３】
瓦下用断熱材１０の材料としては、断熱性、耐水性、耐熱性等に優れるものが好ましく、例えば独立気泡を有する合成樹脂発泡体が好適である。具体的には、例えばポリエチレン系発泡体，ポリプロピレン系発泡体，ポリスチレン系発泡体，ポリウレタン系発泡体等の独立気泡を有する合成樹脂発泡体が好適である。特にポリプロピレン系発泡体は、高い耐熱性を有することから最も好ましい。また、無機充填材を含有する塩化ビニル系樹脂又は塩素化塩化ビニル系樹脂を主成分とする発泡体からなる準不燃性以上の材料で構成される断熱材などを用いることもできる。
【００２４】
（本発明の屋根断熱構造の第１の実施形態例）
本実施形態は、図１に示した瓦下用断熱材１０を敷設した上に、図３に模式的に示すような平板瓦３０を葺設した屋根断熱構造の例である。なお、図３（ａ）は平板瓦３０の上面斜視図、図３（ｂ）は平板瓦３０の裏面斜視図であり、平板瓦３０の裏面には２つの瓦爪３１が設けられている。
【００２５】
本実施形態に係る屋根断熱構造を図４乃至図６を用いて説明する。図４は屋根下地上に横桟と瓦下用断熱材を施工した状態を示す斜視図であり、排水用溝を表すために部分的に切り欠いて示している。図５は屋根瓦葺設後の軒棟方向の部分的な断面図、図６は屋根瓦葺設後の軒棟方向と直交する方向の部分的な断面図であり、これらの図においては屋根下地よりも下側の垂木等は省略している。
【００２６】
屋根断熱構造の施工にあたっては、まず図４に示すように、屋根下地４１上に、横桟４２を並設固定すると共に、横桟４２間に瓦下用断熱材１０を敷設する。なお、屋根下地４１は例えば野地板上にルーフィング（防水シート等）を敷設して形成されている。
【００２７】
横桟４２は、屋根瓦（平板瓦３０）の瓦爪３１を引掛ける機能を有する為、引掛桟とも称されるものであり、図示のように所定の間隔で屋根下地４１上に釘等（不図示）で並設固定される。この横桟４２の下面には、屋根下地４１との間に排水経路を形成する為に、所定の形状を有する複数の排水用溝４３が軒棟方向に延設されている。
【００２８】
そして、横桟４２間に、瓦下用断熱材１０を瓦爪用段差１１が形成されている側を軒側にして隙間無く敷設し、屋根下地４１に接着剤もしくは釘等を用いて固定する。これにより、横桟４２の棟側に隣接して瓦爪用段差１１が配置されると共に、横桟４２の排水用溝４３と瓦下用断熱材１０の排水用溝１２が連通して所定の排水経路が形成される。
【００２９】
なお、横桟４２の排水用溝４３と瓦下用断熱材１０の排水用溝１２は、瓦下用断熱材１０の下面まで浸透した雨水を効率良く排水できるような排水経路を形成できれば、必ずしも全く同じピッチ・形状で形成されていなくても良い。また、上記排水経路を流下する雨水は、軒側端縁に沿って設けられる不図示の樋部材に流れて適切に排水されるものである。
【００３０】
横桟４２と瓦下用断熱材１０を施工した後、図５及び図６に示すように、屋根瓦（平板瓦３０）を横方向の端部を重ね合わせると共に、棟側端部上に軒側端部を重ね合わせて葺設する。この時、平板瓦３０の裏面に設けられている瓦爪３１を瓦爪用段差１１に挿入する。これにより、平板瓦３０は、その棟側が横桟４２上に載置されると共に、瓦爪３１が横桟４２に引っ掛かった安定した状態で葺かれることになる。
【００３１】
以上のようにして施工される本実施形態に係る屋根断熱構造によれば、使用する屋根瓦の形状（特に裏面の凹凸形状）に関係無く極めて簡易な形態を有する瓦下用断熱材を用いて、屋根瓦を安定性良く葺くことができると共に、従来の無断熱の瓦葺き屋根のように平板瓦３０を釘の保持力に乏しい瓦下用断熱材１０を介すことなく直接、釘等を用いて横桟４２に固定することができ、地震・台風に強い屋根断熱構造が実現される。また、屋根下地面と瓦下用断熱材との間に排水経路が形成されているため、雨水の浸透による野地板等の屋根下地材の腐食を効果的に防止することができる。
【００３２】
（本発明の屋根断熱構造の第２の実施形態例）
本実施形態は、図１に示した瓦下用断熱材１０を敷設した上に、図７に模式的に示すような和形瓦７０を葺設した屋根断熱構造の例である。なお、図７は和形瓦７０の上面斜視図であり、この和形瓦７０の裏面には２つの瓦爪７１が設けられている。
【００３３】
本実施形態に係る屋根断熱構造を図８乃至図１０を用いて説明する。図８は屋根下地上に横桟と瓦下用断熱材及び縦桟を施工した状態を示す斜視図であり、排水用溝を表すために部分的に切り欠いて示している。図９は屋根瓦葺設後の軒棟方向の部分的な断面図、図１０は屋根瓦葺設後の軒棟方向と直交する方向の部分的な断面図であり、これらの図においては屋根下地よりも下側の垂木等は省略している。
【００３４】
屋根断熱構造の施工にあたっては、まず図８に示すように、第１の実施形態例と同様、屋根下地４１上に、横桟４２を並設固定すると共に、横桟４２間に瓦下用断熱材１０を敷設する。
【００３５】
次に、横桟４２上に、これと直交する方向に縦桟８１を釘等（不図示）で並設固定する。この縦桟（安定桟）８１は、湾曲形状を有する和形タイプの瓦の安定性を高めるためのものである。
【００３６】
横桟４２と瓦下用断熱材１０及び縦桟８１を施工した後、図９及び図１０に示すように、屋根瓦（和形瓦７０）を横方向の端部を重ね合わせると共に、棟側端部上に軒側端部を重ね合わせて葺設する。この時、和形瓦７０の裏面に設けられている瓦爪７１を瓦爪用段差１１に挿入する。これにより、和形瓦７０は、その棟側が横桟４２上に、一側縁（本例では右側縁）が縦桟８１上に載置されると共に、瓦爪７１が横桟４２に引っ掛かった安定した状態で葺かれることになる。
【００３７】
以上のようにして施工される本実施形態に係る屋根断熱構造によれば、極めて簡易な形態を有する瓦下用断熱材を用いて、湾曲形状を有する和形タイプの屋根瓦を安定性良く葺くことができると共に、従来の無断熱の瓦葺き屋根のように和形瓦７０を釘の保持力に乏しい瓦下用断熱材１０を介すことなく直接、釘等を用いて横桟４２及び縦桟８１に固定することができ、地震・台風に強い屋根断熱構造が実現される。また、屋根下地面と瓦下用断熱材との間に排水経路が形成されているため、雨水の浸透による野地板等の屋根下地材の腐食を効果的に防止することができる。
【図面の簡単な説明】
【００３８】
【図１】本発明の瓦下用断熱材の一例を示す斜視図である。
【図２】本発明の瓦下用断熱材の別の例を示す斜視図である。
【図３】本発明の屋根断熱構造の第１の実施形態例で用いた平板瓦を示し、（ａ）は上面斜視図、（ｂ）は裏面斜視図である。
【図４】本発明の屋根断熱構造の第１の実施形態例において、屋根下地上に横桟と瓦下用断熱材を施工した状態を示す斜視図である。
【図５】本発明の屋根断熱構造の第１の実施形態例に係る軒棟方向の部分的な断面図である。
【図６】本発明の屋根断熱構造の第１の実施形態例に係る軒棟方向と直交する方向の部分的な断面図である。
【図７】本発明の屋根断熱構造の第２の実施形態例で用いた和形瓦の上面斜視図である。
【図８】本発明の屋根断熱構造の第２の実施形態例において、屋根下地上に横桟と瓦下用断熱材及び縦桟を施工した状態を示す斜視図である。
【図９】本発明の屋根断熱構造の第２の実施形態例に係る軒棟方向の部分的な断面図である。
【図１０】本発明の屋根断熱構造の第２の実施形態例に係る軒棟方向と直交する方向の部分的な断面図である。
【符号の説明】
【００３９】
１０  瓦下用断熱材
１１  瓦爪用段差
１２  排水用溝（第２の排水用溝）
３０  平板瓦
３１  瓦爪
４１  屋根下地
４２  横桟
４３  排水用溝（第１の排水用溝）
７０  和形瓦
７１  瓦爪
８１  縦桟
【図１】
2005336754.tif 000003
【図２】
2005336754.tif 000004
【図３】
2005336754.tif 000005
【図４】
2005336754.tif 000006
【図５】
2005336754.tif 000007
【図６】
2005336754.tif 000008
【図７】
2005336754.tif 000009
【図８】
2005336754.tif 000010
【図９】
2005336754.tif 000011
【図１０】
2005336754.tif 000012